(57)【要約】【課題】Ｘ線管装置の方向がどの方向に回転しようと、楽な姿勢で迅速に操作することができる操作盤を備えたＸ線管保持装置を提供する。【解決手段】立位撮影台などで胸部撮影を行う時、被検者を立位撮影台に向けて立たせ、操作者は操作盤２の円形状の操作ハンドル２ａを握り、Ｘ線管装置１を水平軸周りに回転させるための機能を有する垂直または水平方向に配置された操作スイッチ２ｂまたは操作スイッチ２ｃを押して、Ｘ線管装置１のＸ線可動絞り６の方向を立位撮影台の方向に向け、さらに、他の操作スイッチ２ｂを選択し、天井走行及び支柱４の伸縮により、距離、高さ、左右の位置を照準器により合わせてロックする。【選択図】          図１
2005021470.tif 000002
【特許請求の範囲】
【請求項１】
操作スイッチを備えるとともに操作ハンドルを取付けた操作盤と、Ｘ線を発生し照射するＸ線管装置とを組み合わせ、前記Ｘ線管装置を上下動可能に吊設された支柱の下方部に対して取付ブロックを介して前記支柱の周囲に回動可能に取り付け、かつＸ線管装置は取付ブロックに対して水平軸を介して回転可能に取り付けたＸ線管保持装置において、同じ機能を有する操作スイッチ群を前記操作盤における水平方向と垂直方向の両方向に配設したことを特徴とするＸ線管保持装置。
【請求項２】
操作ハンドルが前記操作盤の全周域に設けられたことを特徴とする請求項１記載のＸ線管保持装置。
【発明の詳細な説明】
【０００１】
【発明の属する技術分野】
本発明は、Ｘ線管装置を保持するＸ線管保持装置に係わり、特に、天井などから吊設されたＸ線管装置を操作盤に設けられた操作ハンドルで縦横走行、上下移動させ、旋回、回転、首振りさせて撮影するＸ線管保持装置に関する。
【０００２】
【従来の技術】
天井走行式のＸ線管保持装置は、天井にレールを設け、これに懸架した台車から伸縮可能な支柱を吊設し、その下端に取付ブロックを介してＸ線管装置を取り付けたもので、縦横走行、上下移動、Ｘ線管装置の回転などが可能であり、縦横走行、上下移動の位置の固定は電磁ロック式のものが使用され、Ｘ線管装置の位置の設定には特定位置にストッパ手段による方式が用いられている。この天井走行式のＸ線管保持装置を用いれば、床に構造物が無いため、床面を有効に利用することができ、リーダ撮影台、ブッキー撮影台、Ｘ線透視撮影台等と組み合わせて診断することができる。
【０００３】
図５に、天井から懸垂されたＸ線管保持装置を示す。天井走行式のＸ線管保持装置は、天井に固定されたＹ方向移動ガイド用の固定レール７上でＹ方向に移動でき、その下部にＸ方向の移動ガイド用のレールを備えた移動レール８に取り付けられ、Ｘ−Ｙ方向に移動することができる。そして、下部に上下に伸縮する支柱４を備え、下端に取付ブロック３を介してＸ線可動絞り６付きのＸ線管装置１と操作盤１１を懸垂する。そして特定の角度で垂直軸回転を固定するノブ５が設けられている。
【０００４】
Ｘ線管保持装置は、天井に設けられたレールで縦横に走行され、伸縮自在に懸垂された支柱４と、Ｘ線管装置１を取付ける中間部品で支柱４の垂直軸に対して特定の角度に回転（垂直軸回転）可能な取付ブロック３と、Ｘ線可動絞り６を取付けたＸ線管装置１が取付ブロック３に取付軸を中心にして回転（水平軸回転）可能に取り付けられ、Ｘ線管装置１を撮影部位方向に移動及び回転操作するための操作ハンドル１１ａと操作スイッチ１１ｂを有する操作盤１１とから構成される（例えば、特許文献１参照。）。
【０００５】
図６に、Ｘ線管保持装置の操作盤１１を示す。（ａ）はＸ線照射方向が垂直方向の状態を、（ｂ）は水平方向の状態を示す。図５、図６を参照しながら操作盤１１の説明をする。操作盤１１は両側に操作ハンドル１１ａを備え、中央パネルの両側に、それぞれ機能Ａ、Ｂ、Ｃと機能Ｄ、Ｅ、Ｆが配置されている。操作者がＸ線管装置１の前方に位置する操作盤１１の操作ハンドル１１ａを握り、操作盤１１に設けられた操作スイッチ（Ｘ方向移動ロックスイッチ、Ｙ方向移動ロックスイッチ、Ｚ方向上下動ロックスイッチなど）を選択することで、Ｘ、Ｙ、Ｚ方向の電磁ロックが解除され、懸垂部の支柱４を  固定レール７、移動レール８上でＸ−Ｙ方向に移動させ、懸垂部の支柱４を上下に伸縮することができ、Ｘ線管装置１を自由に撮影位置に移動させることができる。そして、支柱４の垂直軸に対してＸ線管装置１を回転（垂直軸回転）できる機能の操作スイッチ１１ｂを操作し、特定の角度に回転しノブ５で固定する。またＸ線管装置１の取付軸を中心にして回転（水平軸回転）できる機能の操作スイッチ１１ｂを操作し、Ｘ線管装置１を水平軸回りに回転させ固定する。
【０００６】
【特許文献１】
特開平６−１６５７７３号公報  （第６頁、第５図、第６図）
【０００７】
【発明が解決しようとする課題】
従来のＸ線管保持装置は以上のように構成されているが、操作者がＸ線管装置１の前方に位置する操作盤１１の操作ハンドル１１ａを握り、操作盤１１に設けられた操作スイッチ１１ｂを選択して、Ｘ線管装置１を水平軸を中心にして回転させると、操作ハンドル１１ａが水平位置から垂直位置に変わり、操作者が無理な姿勢になり、迅速な操作が困難になるという問題がある。
【０００８】
本発明は、このような事情に鑑みてなされたものであって、Ｘ線管装置の方向がどの方向に回転しようと、楽な姿勢で迅速に操作することができる操作盤を備えたＸ線管保持装置を提供することを目的とする。
【０００９】
【課題を解決するための手段】
上記の目的を達成するため、本発明のＸ線管保持装置は、操作スイッチを備えるとともに操作ハンドルを取付けた操作盤と、Ｘ線を発生し照射するＸ線管装置とを組み合わせ、前記Ｘ線管装置を上下動可能に吊設された支柱の下方部に対して取付ブロックを介して前記支柱の周囲に回動可能に取り付け、かつＸ線管装置は取付ブロックに対して水平軸を介して回転可能に取り付けたＸ線管保持装置において、同じ機能を有する操作スイッチ群を前記操作盤における水平方向と垂直方向の両方向に配設したものである。
【００１０】
また、本発明のＸ線管保持装置は、操作ハンドルが上記操作盤の全周域に設けられたものである。
【００１１】
本発明のＸ線管保持装置は上記のように構成されており、操作盤に水平方向及び垂直方向に同じ機能の操作スイッチを設け、さらに、操作ハンドルを操作盤のほぼ全周に円弧状に配置する。操作者はＸ線管装置を被検者に対してＸ線が適切に照射できるように、水平から垂直のどの方向に回転させる場合も、円弧状の操作ハンドルの持ちやすい位置を握って、楽な姿勢で水平もしくは垂直位置に配置された近くの同じ機能の操作スイッチを選択して操作する。操作スイッチの選択は水平方向に配置されている操作スイッチを使用しがたい時は、垂直方向に配置されている操作スイッチを使用する。あるいは垂直方向に配置されている操作スイッチを使用しがたい時は、水平方向に配置されている操作スイッチを使用する。
【００１２】
【発明の実施の形態】
本発明のＸ線管保持装置の一実施例を、図１、図２を参照しながら説明する。図１は本発明のＸ線管保持装置の全体を示し、図２は本Ｘ線管保持装置の操作盤２を示し、（ａ）は水平位置、（ｂ）は垂直位置を示す図である。
本発明のＸ線管保持装置は、天井のＸ−Ｙ方向に設けられた固定レール７及び移動レール８上から懸垂され上下に伸縮自在の支柱４と、Ｘ線可動絞り６を取付けたＸ線管装置１と、操作スイッチ２ｂ、２ｃおよび操作ハンドル２ａを設けた操作盤２と、Ｘ線管装置１と操作盤２を回転可能に支柱４に取付ける取付ブロック３とから構成される。
【００１３】
本Ｘ線管保持装置は、従来の装置と異なるところは、従来の装置は、図５に示すように、操作盤１１に設けられた操作ハンドル１１ａが操作盤１１の両側に、下方に向けて設けられ、さらに、操作スイッチ１１ｂが、図６に示すように、盤面の両側に垂直方向に設けられ、操作者はＸ線管装置１を水平から垂直に回転した場合、操作がしにくかったが、本Ｘ線管保持装置では、操作盤２に設けられた操作ハンドル２ａが操作盤２のほぼ全周に円弧状に設けられ、さらに、操作スイッチ２ｂおよび操作スイッチ２ｃが、垂直方向および水平方向に同機能のものがそれぞれ配置されており、操作者が楽な姿勢で、操作しやすい操作スイッチ２ｂまたは操作スイッチ２ｃを迅速に選択し操作することができる。
【００１４】
次に、本Ｘ線管保持装置の各部構成について説明する。
支柱４は、検査室の天井にＸ−Ｙ方向に、固定レール７と移動レール８を設け、天井懸垂装置を縦横に走行し、その天井懸垂装置から上下に伸縮自在に作動することができるものである。通常、支柱４に取付ブロック３を介してＸ線管装置１が取付けられ、１検査室に立位式撮影台（ブッキースタンド）や水平式撮影台（撮影テーブル）及び透視撮影台などが据付けられ、Ｘ線管装置１と組合せられて、正面撮影、胸部撮影、側面撮影、斜位撮影などが行われる。
Ｘ線管装置１は、Ｘ線可動絞り６を取付け、支柱４に取付ブロック３を介して取付けられ、操作ハンドル２ａを握り操作スイッチ２ｂまたは操作スイッチ２ｃの操作によって支柱４の垂直軸の回り、及びＸ線管装置１の取付方向の水平軸回りに回転することができる。水平軸回りに回転すると操作盤２は垂直方向に位置することになるが、操作ハンドル２ａが円弧状にデザインされているので、操作者は楽な姿勢で操作ハンドル２ａを握ることができ、そして、近くの操作しやすい位置の操作スイッチ２ｂまたは操作スイッチ２ｃを選択することができる。
操作盤２は、操作ハンドル２ａ及び操作スイッチ２ｂ、２ｃを設け、操作ハンドル２ａは、操作盤２のほぼ全周に円弧状に設けられ、操作者がどの方向からでも操作ハンドル２ａを楽な姿勢で握り、Ｘ線管装置１を撮影部位に操作できるようにしたものである。操作スイッチ２ｂおよび操作スイッチ２ｃは、操作盤２の盤面に垂直方向及び水平方向に２組の機能選択スイッチＡＢＣ、ＤＥＦが配置され、操作盤２が水平方向又は垂直方向になっても、機能選択スイッチＡＢＣ、ＤＥＦの操作しやすい位置の操作スイッチ２ｂまたは操作スイッチ２ｃを楽な姿勢で迅速に選択することができる。
操作スイッチ２ｂ、２ｃの機能は、「天井走行のＸ方向の移動ロック解除」、「天井走行のＹ方向の移動ロック解除」、「上下移動ロック解除」、「Ｘ線管装置１の垂直軸回りのロック解除」、「Ｘ線管装置１の水平軸周りのロック解除」などが設けられている。それぞれ操作パネルに記号で明記されており、２組の操作スイッチ２ｂ、２ｃが操作盤２のパネル周辺部に垂直方向及び水平方向に配置されている。
取付ブロック３は、Ｘ線管装置１と操作盤２を支柱４に取付けるための中間ブロックで、支柱４の垂直軸回りに回転し、操作盤２に設けられた機能の「Ｘ線管装置１の垂直軸回りのロック解除」の操作スイッチ２ｂまたは操作スイッチ２ｃを押すと、取付ブロック３のブレーキが解除され操作ハンドル２ａによって垂直軸まわりに回転できる。また、「Ｘ線管装置１の水平軸周りのロック解除」の操作スイッチ２ｂまたは操作スイッチ２ｃを押すとブレーキが解除され、Ｘ線管装置１を取付ブロック３上で水平軸回りに回転できる。
【００１５】
次に、本Ｘ線管保持装置の操作について、図３、図４を参照しながら説明する。図３は、水平式撮影台１３と本Ｘ線管保持装置を組合せて、操作盤２が水平位にあるときの状態を示し、図４は、立位撮影台１５と本装置を組合せて、操作盤２が垂直位にあるときの状態を示す。
図３において、受像部１２（フイルムカセッテをセットしたブッキー撮影装置）が天板下方に設けられた水平式撮影台１３に、被検者１４を載せ、操作者は操作盤２の円形状の操作ハンドル２ａを握り、操作スイッチ２ｂまたは操作スイッチ２ｃ（「天井走行のＸ方向の移動ロック解除」、「天井走行のＹ方向の移動ロック解除」、「上下移動ロック解除」）を選択して押し、天井懸垂部を走行させ、支柱４を伸縮させ、取付ブロック３に取付けられたＸ線管装置１を被検者１４の撮影部位方向に向ける。そして、操作スイッチ２ｂまたは操作スイッチ２ｃ（「Ｘ線管装置１の垂直軸回りのロック解除」、「Ｘ線管装置１の水平軸周りのロック解除」）を押し、Ｘ線管装置１のＸ線可動絞り６を被検者１４の撮影部位方向に向け、照準装置によって位置決めをし、この作業を繰り返して正確に照準する。そしてＸ線照射を行い、撮影を終了する。
図４において、受像部１６（フイルムカセッテをセットしたブッキー撮影装置）がスタンドに設けられた立位撮影台１５に、被検者１４を立位撮影台側に向けて立たせ、操作者は操作盤２の円形状の操作ハンドル２ａを握り、操作スイッチ２ｂまたは操作スイッチ２ｃ（「天井走行のＸ方向の移動解除ロック」、「天井走行のＹ方向の移動解除ロック」、「上下移動ロック解除」）を選択して押し、天井懸垂部を走行させ、支柱４を伸縮させ、取付ブロック３に取付けられたＸ線管装置１を被検者１４から所定の距離離れた同じ高さに位置させる。そして、操作スイッチ２ｂまたは操作スイッチ２ｃ（「Ｘ線管装置１の垂直軸回りのロック解除」、「Ｘ線管装置１の水平軸周りのロック解除」）を押し、Ｘ線管装置１を縦にして、Ｘ線可動絞り６を被検者１４の撮影部位方向に向け、照準装置によって位置決めをし、この作業を繰り返して正確に照準する。そしてＸ線照射を行い、撮影を終了する。
【００１６】
上記の実施例では、天井懸垂のＸ線管保持装置に付いて説明したが、天井懸垂式の装置に限らず、床面据付型や、壁掛型のＸ線管保持装置に付いても同様に適用することができる。
また、操作盤２に水平に配置されている操作スイッチ２ｃと垂直に配置されている操作スイッチ２ｂは、完全に同じである必要は無い。使用頻度の高いスイッチのみを水平、垂直の両方向に配置するのも有効である。
なお、図示例では４個のスイッチ群の配設としたが、水平１個、垂直１個の２個でも良い。
【００１７】
【発明の効果】
本発明のＸ線管保持装置は上記のように構成されており、水平式撮影台（撮影テーブル）または立位撮影台（撮影スタンド）に被検者を載せ、被検者に対して適切にＸ線が照射されるように、Ｘ線管装置を移動、回転させるとき、操作盤の外側のほぼ全周に円弧状の操作ハンドルが設けられているので、操作者は楽な姿勢でそのハンドルを握ることができる。そして、操作盤の操作スイッチを選択する時、水平方向に配置されている操作スイッチを使用しがたい時は、垂直方向に配置されている操作スイッチを使用し、あるいは垂直方向に配置されている操作スイッチを使用しがたい時は、水平方向に配置されている操作スイッチを使用することができるので、すばやく機能を選択でき、Ｘ線管装置を撮影方向に迅速にセットすることができる。
特に立位撮影台（撮影スタンド）を使用して撮影を行う場合、従来技術と比較すると、Ｘ線照射方向を被検者に合わせたまま、操作スイッチを押し、Ｘ線管装置を上下移動、垂直・水平軸回りなどの各操作を迅速に行うことができる。
【図面の簡単な説明】
【図１】本発明のＸ線管保持装置の一実施例を示す図である。
【図２】本発明のＸ線管保持装置の操作部を示す図である。
【図３】本発明のＸ線管保持装置を水平撮影台に用いた図である。
【図４】本発明のＸ線管保持装置を立位撮影台に用いた図である。
【図５】従来のＸ線管保持装置を示す図である。
【図６】従来のＸ線管保持装置の操作部を示す図である。
【符号の説明】
１  Ｘ線管装置
２  操作盤
２ａ  操作ハンドル
２ｂ  操作スイッチ
２ｃ  操作スイッチ
３  取付ブロック
４  支柱
５  ノブ
６  Ｘ線可動絞り
７  固定レール
８  移動レール
【図１】
2005021470.tif 000003
【図２】
2005021470.tif 000004
【図３】
2005021470.tif 000005
【図４】
2005021470.tif 000006
【図５】
2005021470.tif 000007
【図６】
2005021470.tif 000008